(57)【要約】【課題】受信器における適合イコライザのオーバフィットを補償する無線チャンネルの信号対混信及びノイズ比（ＳＩＮＲ）を評価する。【解決手段】本発明によれば、無線チャンネル１１０のＳＩＮＲは以下のようにして評価される。すなわち、フレームのパイロット部を用いて適合イコライザが適合され、この適合イコライザがフレームのノンパイロット部２０４，２０６に適用され、この適合イコライザの出力を用いてパラメータが決定され、このパラメータを用いて無線チャンネルのＳＩＮＲが評価される。このパラメータは、例えば、平均平方誤差（ＭＳＥ）又は、イコライザ出力のバイアスを含みうる。適合イコライザは、フレームにおける制御部２０４又はデータ部２０６に対して過大ではないために、ＳＩＮＲ評価の精度は改善される。
2005516429.tif 000002
【特許請求の範囲】
【請求項１】
無線チャンネルにおける信号対混信及びノイズ比（ＳＩＮＲ）を評価する方法であって、
パイロット部とノンパイロット部とをもつフレームが前記無線チャンネルを介して送信される前記方法は、
フレームのパイロット部を用いて適合イコライザを適合し、
前記適合イコライザを前記フレームのノンパイロット部に適用した結果である出力を取得し、
前記出力を使用してパラメータを決定し、
前記パラメータを使用して無線チャンネルのＳＩＮＲを評価するようにした方法。
【請求項２】
請求項１に記載の方法において、
前記ノンパイロット部は複数の制御シンボルをもつ制御部を備え、
前記出力は前記制御シンボルのソフト評価値を含み、
前記決定する場合には、
ハード判定を前記ソフト評価値に適用した結果である前記制御シンボルのハード評価値を取得し、前記ソフト評価値と前記ハード評価値とを用いて前記パラメータを計算するようにした方法。
【請求項３】
請求項２に記載の方法において、
前記パラメータは、平均平方誤差（ＭＳＥ）を含んでいる方法。
【請求項４】
請求項２に記載の方法において、
前記パラメータはバイアスを含んでいる方法。
【請求項５】
請求項１に記載の方法において、
前記ノンパイロット部はデータ部を含み、
前記方法は更に複数のデータビットになる前記出力をデコードし、
前記決定する場合には、
前記データビットを再エンコードし、前記出力と前記再エンコードされたデータビットとを用いて前記パラメータを計算するようにした方法。
【請求項６】
請求項５に記載の方法において、
前記パラメータは、平均平方誤差（ＭＳＥ）を含んでいる方法。
【請求項７】
請求項５に記載の方法において、
前記パラメータはバイアスを含んでいる方法。
【請求項８】
請求項１に記載の方法において、
前記適合する場合は、結果としてパイロット出力を取得し、
前記評価する場合は、結果としてノンパイロットＳＩＮＲ評価値を取得し、
前記パラメータは第１のパラメータを含み、
前記方法は更に、
前記パイロット出力を用いて第２のパラメータを決定し、
前記第２のパラメータを用いて前記無線チャンネルのＳＩＮＲを評価し、結果としてパイロットＳＩＮＲ評価値を取得し、
前記ノンパイロットＳＩＮＲ評価値と前記パイロットＳＩＮＲ評価値とを用いてＳＩＮＲ補償ファクタを計算し、
前記ＳＩＮＲ補償ファクタを複数のフレームを介して平滑化し、
前記平滑化された補償ファクタにしたがって前記パイロット評価値を調整するようにした方法。
【請求項９】
請求項８に記載の方法において、
前記平滑化は、
Ｆが前記平滑化されたＳＩＮＲ補償ファクタ、λが１未満の正の実数である場合、
【数１】
2005516429.tif 000010
にしたがって行われるようにした方法。
【請求項１０】
請求項８に記載の方法において、
前記平滑化は、
Ｆが前記平滑化されたＳＩＮＲ補償ファクタ、Ｍが前記複数のフレームの数である場合、
【数２】
2005516429.tif 000011
にしたがって行われるようにした方法。
【請求項１１】
請求項１に記載の方法において、
前記パラメータは第１のパラメータを含み、
前記方法は更に前記出力を用いて第２のパラメータを決定し、
前記評価する場合は、前記第１及び第２のパラメータを用いて無線チャンネルのＳＩＮＲを評価することを含む方法。
【請求項１２】
請求項１１に記載の方法において、
前記第１のパラメータは平均平方誤差（ＭＳＥ）を含み、
前記第２のパラメータはバイアスを含む方法。
【請求項１３】
請求項１に記載の方法において、
前記適合する場合は、結果としてパイロット出力を出力し、
前記パラメータは第１のパラメータを含み、
前記方法は更に前記パイロット出力を用いて第２のパラメータを決定し、
前記評価する場合は、前記第１及び第２のパラメータを用いて無線チャンネルのＳＩＮＲを評価することを含む方法。
【請求項１４】
無線チャンネルにおける信号対混信及びノイズ比（ＳＩＮＲ）を評価する方法であり、パイロット部をもつフレームが前記無線チャンネルを介して送信される方法であって、
前のフレームの間に適合された適合イコライザを現在のフレームのパイロット部に適用し、その結果である出力を取得し、
前記出力を用いてパラメータを決定し、
前記パラメータを用いて前記無線チャンネルのＳＩＮＲを評価するようにした方法。
【請求項１５】
請求項１４に記載の方法において、
前記パラメータは、平均平方誤差（ＭＳＥ）を含んでいる方法。
【請求項１６】
請求項１４に記載の方法において、
前記パラメータはバイアスを含んでいる方法。
【請求項１７】
パイロット部とノンパイロット部とをもつフレームが送信される無線チャンネルを介したデータ送信の速度を選択する方法であって、
フレームのパイロット部を用いて適合イコライザを適合し、
前記適合イコライザを前記フレームのノンパイロット部に適用し、その結果である出力を取得し、
前記出力を用いてパラメータを決定し、
前記パラメータを用いて前記無線チャンネルの信号対混信及びノイズ比（ＳＩＮＲ）を評価し、
前記ＳＩＮＲ評価値を用いてデータ送信速度を選択するようにした方法。
【請求項１８】
請求項１７に記載の方法において、
前記パラメータは、平均平方誤差（ＭＳＥ）を含んでいる方法。
【請求項１９】
請求項１７に記載の方法において、
前記パラメータはバイアスを含んでいる方法。
【請求項２０】
パイロット部とノンパイロット部とをもつフレームが無線チャンネルを経由して受信されるような無線チャンネルにおける信号対混信及びノイズ比（ＳＩＮＲ）を評価する装置であって、
フレームのパイロット部を使って適合され、前記フレームのノンパイロット部に適用され、その結果である出力を取得する適合イコライザと、
前記出力を用いてパラメータを決定する手段と、
前記パラメータを用いて前記無線チャンネルのＳＩＮＲを評価する手段と
からなる装置。
【請求項２１】
請求項２０に記載の装置において、
前記ノンパイロット部は複数の制御シンボルをもつ制御部を備え、
前記制御部の間の前記適合イコライザの出力は前記制御シンボルのソフト評価値を含み、
前記決定する手段は、
ハード判定を前記ソフト評価値に適用し、その結果である前記制御シンボルのハード評価値を取得する手段と、
前記ソフト評価値と前記ハード評価値とを用いて前記パラメータを計算する手段と
を備えた装置。
【請求項２２】
請求項２１に記載の装置において、
前記パラメータは、平均平方誤差（ＭＳＥ）を含んでいる装置。
【請求項２３】
請求項２１に記載の装置において、
前記パラメータはバイアスを含んでいる装置。
【請求項２４】
請求項２０に記載の装置において、
前記ノンパイロット部は複数のエンコードされたデータビットをもつデータ部を備え、
前記データ部の間の前記適合イコライザの出力は前記エンコードされたデータビットのソフト評価値を含み、
この装置は更に複数のデコードされたデータビットになる前記ソフト評価値をデコードするために構成されたチャンネルデコーダを備え、
前記決定する手段は、
前記デコードされたデータビットを再エンコードする手段と、
前記ソフト評価値と前記再エンコードされたデータビットとを用いて前記パラメータを計算する手段とを備えた装置。
【請求項２５】
請求項２４に記載の装置において、
前記パラメータは、平均平方誤差（ＭＳＥ）を含んでいる装置。
【請求項２６】
請求項２４に記載の装置において、
前記パラメータはバイアスを含んでいる装置。
【請求項２７】
請求項２０に記載の装置において、
前記パイロット部の間の前記適合イコライザの出力の結果はパイロット出力となり、
前記ＳＩＮＲ評価値はノンパイロットＳＩＮＲ評価値を含み、
前記パラメータは第１のパラメータを含み、
この装置は更に、
前記パイロット出力を用いて第２のパラメータを決定する手段と、
前記第２のパラメータを用いて無線チャンネルのＳＩＮＲを評価し、結果としてパイロットＳＩＮＲ評価値を取得する手段と、
前記ノンパイロットＳＩＮＲ評価値と前記パイロットＳＩＮＲ評価値とを用いてＳＩＮＲ補償ファクタを計算する手段と、
複数のフレームを介して前記ＳＩＮＲ補償ファクタを平滑化する手段と、
前記平滑化されたＳＩＮＲ補償ファクタにしたがって前記パイロットＳＩＮＲ評価値を調整する手段と
を備えた装置。  
【請求項２８】
請求項２７に記載の装置において、
前記平滑化する手段は、
Ｆが前記平滑化されたＳＩＮＲ補償ファクタ、λが１未満の正の実数である場合、
【数３】
2005516429.tif 000012
にしたがって行うように構成された装置。
【請求項２９】
請求項２７に記載の装置において、
前記平滑化する手段は、
Ｆが前記平滑化されたＳＩＮＲ補償ファクタ、Ｍが前記複数のフレームの数である場合、
【数４】
2005516429.tif 000013
にしたがって行うように構成された装置。
【請求項３０】
無線チャンネルの信号対混信及びノイズ比（ＳＩＮＲ）を評価する装置であって、
前記装置は、前記無線チャンネルを経由して、パイロット部とノンパイロット部とをもつフレームを受信する受信器を備えており、
前記受信器は、前記パイロット部が用いられて適合され、前記ノンパイロット部に適用され、その結果である出力を取得し、
前記受信器は、前記出力を用いてパラメータを決定するために構成され、
前記受信器は更に前記パラメータを用いて無線チャンネルのＳＩＮＲを評価するために構成されている装置。
【請求項３１】
請求項３０に記載の装置において、
前記ノンパイロット部は、複数の制御シンボルをもつ制御部を備え、
前記制御部の間の前記適合イコライザの出力は、前記制御シンボルのソフト評価値を含み、
前記受信器は、ハード判定を前記ソフト評価値に適用し、その結果として前記制御シンボルのハード評価値を取得するように構成され、
前記受信器は更に、前記ソフト評価値とハード評価値とを用いて前記パラメータを計算するように構成された装置。
【請求項３２】
請求項３１に記載の装置において、
前記パラメータは、平均平方誤差（ＭＳＥ）を含んでいる装置。
【請求項３３】
請求項３１に記載の装置において、
前記パラメータはバイアスを含んでいる装置。
【請求項３４】
請求項３０に記載の装置において、
前記ノンパイロット部は、複数のエンコードされたデータビットをもつデータ部を備え、
前記データ部の間の前記適合イコライザの出力は、前記エンコードされたビットのソフト評価値を含み、
前記受信器は更に、複数のデコードされたデータビットになる前記ソフト評価値をデコードするために構成されたチャンネルデコーダを含み、
前記受信器は、前記デコードされたデータビットを再エンコードするために構成され、
前記受信器は更に、前記ソフト評価値と前記再エンコードされたデータビットとを用いて前記パラメータを計算するように構成された装置。
【請求項３５】
請求項３４に記載の装置において、
前記パラメータは、平均平方誤差（ＭＳＥ）を含んでいる装置。
【請求項３６】
請求項３４に記載の装置において、
前記パラメータはバイアスを含んでいる装置。
【請求項３７】
無線通信システムにおいて、
無線チャンネルと、
パイロット部とノンパイロット部とをもつフレームを、
あるデータ速度で前記無線チャンネルを介して送信する送信器と、
前記無線チャンネルを経由して前記フレームを受信する受信器とを備え、
前記受信器は、
前記パイロット部を用いて適合され、前記ノンパイロット部に適用されることによって、結果として出力を取得する適合イコライザと、
前記出力を用いて前記無線チャンネルの信号対混信及びノイズ比（ＳＩＮＲ）を評価する手段と、
前記ＳＩＮＲを用いてデータ速度制御（ＤＲＣ）値を選択する手段と、
前記無線チャンネルを経由して前記ＤＲＣ値を前記送信器へ送信する手段と
を備えた装置。
【発明の詳細な説明】
【技術分野】
【０００１】
本発明は、一般に通信に係り、更に詳しくは、無線チャンネルにおける信号対混信及びノイズ比（ＳＩＮＲ： interference-plus-noise ratio）の評価に関する。
【背景技術】
【０００２】
現在における通信システムは、様々なアプリケーションをサポートすることが要求されている。そのような通信システムの１つにコード分割多元アクセス（ＣＭＤＡ）システムがある。これは、ＩＳ−９５規格と称される「TIA/EIA/IS-95 Mobile Station-Base Station Compatibility Standard for Dual-Mode Wideband Spread Spectrum Cellular System」に適合している。ＣＤＭＡシステムは、地球上のリンクを通じて、ユーザ間の音声及びデータの通信を可能とする。多重アクセス通信システムにおけるＣＤＭＡ技術の利用は、特許文献１及び特許文献２に開示されている。これらは何れも本発明の譲受人に譲渡されており、本明細書では参考文献として組み込まれている。「TIA/EIA/IS-2000規格」は、次世代ｃｄｍａ２０００マルチキャリア１Ｘ及び３Ｘ空気インタフェース仕様を記載しており、以下、ｃｄｍａ２０００規格と称する。 
ＣＤＭＡシステムにおいて、ユーザ間の通信は、１つ以上の基地局を介して実施される。本明細書では、基地局は、ユーザ端末が通信するハードウェアに相当する。第１のユーザ端末は、逆方向リンクによって基地局にデータを送信することによって第２のユーザと通信する。基地局はこのデータを受信し、このデータを別の基地局へルーティングすることができる。このデータは、これと同一の基地局、あるいは第２の基地局の順方向リンクによって、第２の移動局へと送信される。順方向リンクは、基地局からユーザ端末への送信に相当し、逆方向リンクとは、ユーザ端末から基地局への送信に相当する。ＩＳ−９５システムでは、順方向リンク及び逆方向リンクには、別の周波数が割り当てられる。
【０００３】
無線データアプリケーションに対する益々増えつつある需要によって、極めて効率的な無線データ通信システムに対する必要性がますます重要になった。ＩＳ−９５規格では、順方向及び逆方向のリンクを介して、トラフィックデータ及び音声データを送信することができる。固定サイズのコードチャンネルフレームでトラフィックデータを送信する方法は、特許文献３に詳述されている。この特許は、本発明の譲受人に譲渡されており、本明細書に参考文献として組み込まれている。更に、ＣＤＭＡシステムにおける高速パケットデータ通信を提供する高速データ（ＨＤＲ：high data rate）システムは、co-pendingである特許文献４と同様に非特許文献１に詳記されている。特許文献４は、本発明の譲受人に譲渡されており、本明細書では参考文献として組み込まれている。なお、非特許文献１でいう「TIA/EIA/IS-856-cdma2000 High Rate Packet Data Air Interface Specification」は、以下「ＨＤＲ規格」と称する。
【０００４】
ＨＤＲシステムによれば、ユーザ端末は、データ速度制御（ＤＲＣ）メッセージを基地局へと送信する。このＤＲＣ値は、ユーザ端末が順方向リンクでデータを受信することを期待している速度と一致している。ＤＲＣ値は、少なくとも部分的には、ユーザ端末チャンネルの信号対混信及びノイズ比（ＳＩＮＲ）に基づいている。ノイズの少ないチャンネルほどより高速なデータ速度をサポートすることができる。従って、ＤＲＣ値は、チャンネルＳＩＮＲが減少すると減少し、チャンネルＳＩＮＲが増加すると増加する。本システムにおけるデータスループットが最大化される必要がある場合には、ＤＲＣ値は、可能な限り高い値に設定されるべきである。しかしながら、ＤＲＣ値を正確に設定することは、チャンネルＳＩＮＲの信頼できる評価の達成に依存している。チャンネルＳＩＮＲの過大評価は、ユーザ端末において予期せぬ高い頻度でエラー発生をもたらすデータ速度を引き起こしうる。
【０００５】
干渉を抑制し、システム性能を改善するために、ユーザ端末の受信器に、適合イコライザを使用することができる。この適合イコライザのフィルタ係数は、特定のフレームにおけるパイロット部の間で調整（ここでは単に適合イコライザの調整として記載されている）することができる。ここで使用されているように、シンボルは特定の時間間隔の間に処理される必要は必ずしもないが、フレームの特定の部分の「間」適合又は適用された適合イコライザの記載は、このイコライザを、このフレームの部分内におけるシンボルに適合又は適用されることに相当する。ＨＤＲシステムで送信されるフレーム（ここでは「パケット」とも称される）は、例えば制御部やデータ部のような１つ以上のノンパイロット部と同様に、パイロット部を含む。パイロットシンボルは、受信器において演繹的に知られている。フィルタ係数を望ましい値に調整するための従来のアルゴリズムは、既知のパイロットシンボルと、これらパイロットシンボルのイコライザの評価値との間の平均平方誤差を最小化（ＭＭＳＥ：minimizing mean square error）するクライテリアにしばしば基づいている。適用可能なＭＭＳＥアルゴリズムの２つの共通した例は、最小平均平方（ＬＭＳ：leastmean-square）アルゴリズムと、帰納的最小平方（ＲＬＳ：recursive-least-squares）アルゴリズムである。
【０００６】
一般に、既知のパイロットシンボルは、フレームの小数部（例えば１０％）を作る一方、制御シンボルとデータシンボルは、フレームの残りを作る（例えば、それぞれ１０％、及び８０％）。このパイロットシンボルは受信器において知られているが、制御シンボルとデータシンボルは、受信器では演繹的に知られていない。多くの状況（コード化されていないシンボルエラー割合が十分高く、適用に導くための判定ができない場合や、さほど複雑ではない実装が望まれている場合）において、イコライザ係数は、フレームのパイロット部分の間にだけ再帰的に適用され、フレームのノンパイロット部の間に固定されて保たれる。
【０００７】
従来の受信器の設計によると、チャンネルＳＩＮＲは、特定のフレームのパイロット部の間に評価された１つ以上のパラメータを用いて計算される。これら評価されたパラメータは、パイロットシンボルのイコライザの評価の平均平方誤差（ＭＳＥ）、パイロットシンボルのイコライザの評価のバイアス、あるいはその他の評価を含んでいる。当業者にとっては、ＳＩＮＲは、アプリケーション環境に基づいてなされた様々な仮定に基づく異なる方法で定義されうることが明らかであろう。しかしながら、多くの定義によると、ＳＩＮＲはＭＳＥと正反対に関連する。
【０００８】
イコライザ係数がパイロット間隔のみの間に適合されるような場合、パイロットシンボルと、このパイロットシンボルのイコライザの評価値との差は、データシンボル（あるいは制御シンボル）と、このデータシンボル（あるいは制御シンボル）のイコライザ評価値との間の差よりは平均して小さくなる。言い換えると、イコライザのＭＳＥは、パイロット部の間の方が、ノンパイロット部の間より小さくなる。このＭＳＥの差は、パイロット部の間においてＭＳＥを最小化するために、適合アルゴリズムによって適合フィルタ係数が調整されるものの、ノンパイロット部に対しては特に調整されないことから生じる。この差の大きさは、ノンパイロット部を記載している基礎となるランダムプロセスを、パイロット部が統計的に代表していない範囲にある程度依存する。この現象は、ここでは、パイロット部に対して「オーバフィット」している適合イコライザとして参照される。このオーバフィットは、複数経路ＬＭＳのようなアルゴリズムが用いられた場合には拡大される。なぜなら、同じオブザベーションを介した連続経路によって、この係数は、自分自身で、特定のデータセットに、より近くなるように調整するからである。
【特許文献１】米国特許登録番号 4,901,307, "SPREAD SPECTRUM MULTIPLE ACCESS COMMUNICATION SYSTEM USING SATELLITE OR TERRESTRIAL REPEATERS"
【特許文献２】米国特許登録番号 5,103,459, "SYSTEM AND METHOD FOR GENERATING WAVEFORMS IN A CDMA CELLULAR TELEPHONE SYSTEM"
【特許文献３】米国特許登録番号 5,504,773 「METHOD AND APPARATUS FOR THE FORMATTING OF DATA FOR TRANSMISSION」
【特許文献４】米国出願番号 08/963,386、「METHOD AND APPARATUS FOR HIGH RATE PACKET DATA TRANSMISSION」（１９９７年１１月３日）
【非特許文献１】TIA/EIA/IS-856-cdma2000 High Rate Packet Data Air Interface Specification
【発明の開示】
【発明が解決しようとする課題】
【０００９】
適合イコライザのオーバフィットは、ＭＳＥの計算のみならず、適合イコライザの評価のバイアスのような他のパラメータの計算に対しても同様に影響を与える。上述したように、これらのファクタは、チャンネルＳＩＮＲを評価するために使用できる。これらのパラメータの計算の誤差は、結果として、チャンネルSINRの評価誤差となる。これは、受信器に、順に、準最適なＤＲＣ値を選択させるかもしれない。例えば、パイロット間隔の間にＭＳＥを計算する受信器は、パイロットシンボルに対してオーバフィットしているイコライザによって、チャンネルＳＩＮＲを過大評価するかもしれない。仮に、このＳＩＮＲ評価値に基づいてＤＲＣ値が選択される場合、送信器は、受信されたデータにおいて期待されたよりも大きな数のエラーをもたらすようなデータ速度でフレームを送信するであろう。なぜなら、フレームが受信された品質（例えば、パケットエラー割合（ＰＥＲ：packet error rate））は、データ速度と、フレームのデータ部の間に経験されたチャンネルＳＩＮＲとに少なくとも部分的には依存するからである。
【００１０】
従って、受信器における適合イコライザのオーバフィットを補償する無線チャンネルのＳＩＮＲを評価する改善された方法及び装置に対する技術におけるニーズがある。
【課題を解決するための手段】
【００１１】
ここで開示された実施例は、受信フレームのパイロット部に対する適合イコライザのオーバフィットによるチャンネルＳＩＮＲを補償することによって、上述したニーズに対処する。本発明の局面によれば、無線チャンネルのＳＩＮＲは、受信フレームのパイロット部を用いて適合イコライザを適合させ、この適合イコライザをフレームのノンパイロット部（例えば、制御部又はデータ部）に適用し、この適合イコライザ出力を用いてパラメータを決定し、このパラメータを用いて無線チャンネルのＳＩＮＲを評価することによって評価される。このパラメータは、例えば、ＭＳＥ又はイコライザ出力のバイアスを含みうる。本発明のこの局面によれば、適合イコライザは、フレームの制御部又はデータ部に対してそれほどオーバフィットしないので、（パイロット間隔の間に計算されたパラメータに基づいて評価されたＳＩＮＲに比べて）ＳＩＮＲ評価の精度は改善される。
【００１２】
本発明の第２の局面によれば、受信フレームのパイロット部を用いて適合イコライザが一旦適合されると、適合イコライザは、受信フレームの制御部に適用され、制御シンボルのソフト評価値を生成する。ハード判定もまた、このソフト評価値に適用され、これら制御シンボルのハード評価値を生成する。これら制御シンボルのソフト評価値及びハード評価値を用いてパラメータが計算される。例えば、このＭＳＥは、ソフト評価値とハード評価値との平方差の平均を計算することによって決定することができる。このパラメータに基づいて評価されたＳＩＮＲの精度は改善される。なぜなら、この適合イコライザは、制御部に対してさほどオーバフィットする傾向にはないからである。
【００１３】
本発明の第３の局面によれば、受信フレームのパイロット部を用いて適合イコライザが一旦適合されると、この適合イコライザは、データ部が複数のエンコードされたデータビットを含んでいる受信フレームのデータ部に適用される。従って、適合イコライザの出力は、このエンコードされたデータビットのソフト評価値を示している。この受信器は、このイコライザ出力を、デコードしてエンコードされていないデータビットを、一般に比較的高い成功確立で回復させる。本発明のこの局面によれば、このデータビットは、再エンコードされたデータビットが、送信器によって送信されたエンコードデータビットを表示できるように、再エンコードされる。エンコードされたデータビットと、再エンコードされたデータビットのソフト評価値とを用いてパラメータが計算される。例えば、このＭＳＥは、ソフト評価値と、再エンコードデータビットとの間の平方差の平均を計算することによって計算することができる。このパラメータに基づくＳＩＮＲ評価の精度は改善される。なぜなら、適合イコライザは、データ部に対してさほどオーバフィットする傾向にないからである。
【００１４】
本発明の第４の局面によれば、フレームのノンパイロット部の間に計算されたパラメータは、ノンパイロットＳＩＮＲを評価するために使用され、フレームのパイロット部の間に計算された第２のパラメータは、パイロットＳＩＮＲを評価するために使用される。ＳＩＮＲ補償ファクタは、ノンパイロットＳＩＮＲ評価値とパイロットＳＩＮＲ評価値とを用いて計算される。このＳＩＮＲ補償ファクタは、複数のフレームに亘って平滑化され、イコライザオーバフィットを補償するパイロットＳＩＮＲの調整に使用することが可能である。すなわち、ＳＩＮＲ補償ファクタ評価値の精度（結果として、チャンネルＳＩＮＲの評価値）は、複数のフレームに亘る評価値の平滑化によって改善される。
【００１５】
本発明の第５の局面によると、適合イコライザは、前のフレームの間に適用されたフィルタ係数を用いて、現在のフレームのパイロット部に適用される。パラメータは、イコライザ出力と、既知のパイロットシンボルとを用いて計算される。このパラメータは、チャンネルＳＩＮＲを評価するために用いられる。このパラメータに基づくＳＩＮＲ評価値の精度は、平均して改善される。なぜなら、適合イコライザは現在のフレームよりもむしろ前のフレームからのパイロット部に調整され、その結果、イコライザは、現在のパイロットに対してさほどオーバフィットする傾向にはないからである。
【発明の効果】
【００１６】
本発明によれば、受信器における適合イコライザのオーバフィットを補償する無線チャンネルのＳＩＮＲを評価する改善された方法及び装置を実現することができる。
【発明を実施するための最良の形態】
【００１７】
本発明は、一般に、無線チャンネルのＳＩＮＲの評価に関する。図１（ａ）は、本発明の動作範囲にある通信環境１００Ａの一例を示している。この通信環境１００Ａは、無線チャンネル１１０を経由して受信器１０４と通信する送信器１０２を含んでいる。送信器１０２は、無線チャンネル１１０を介して情報を送信することができるあらゆるデバイスでありうる。同様に、受信器１０４は、無線チャンネル１１０を介して情報を受信することができるあらゆるデバイスでありうる。受信器１０４は、無線チャンネル１１０によって導入されるノイズ及び混信の効果を抑制する適合イコライザ１０８を含んでいる。無線チャンネル１１０は、定義された通信プロトコルにしたがって情報を流すことができるあらゆる無線リンクでありうる。本発明の具体的な実施例によれば、無線チャンネル１１０を介した通信は、ＩＳ−９５  ＣＤＭＡ規格、ｃｄｍａ２０００規格、及び／又はＨＤＲ規格に対応可能である。
【００１８】
この記載によって、本発明の具体的な実施例によれば、受信器１０４は、無線チャンネル１１０のＳＩＮＲを評価するために構成されうる。このように構成された受信器は、多くの異なる環境におけるアプリケーションを見出しうることも明らかになるであろう。例えば、図１（ｂ）は、無線チャンネル１１０を経由してユーザ端末１２２と通信する基地局１２０を含むモバイル通信環境１００Ｂを示している。この具体的な環境における無線チャンネル１１０は、順方向及び/又は逆方向のリンクを表すことができる。基地局１２０とユーザ端末１２２はともに完全二重通信を行うトランシーバ１０６（基地局１２０では１０６Ａ、ユーザ端末１２２では１０６Ｂ）を備えている。ここで、トランシーバ１０６は、送信部と受信部との両方を備えている。ユーザ端末１２２における受信部が、ここで記載されたように構成されている以下の記述では、順方向リンクのためのアプリケーションに重点がおかれているが、両トランシーバ１０６ともに、受信器１０４に関して記載されたように、適切な部分に構成されうる。
【００１９】
受信器１０４は、ハードウェア、ソフトウェア、又はそれらの組み合わせとしてここで記載された動作を実行するために構成されうる。これらの動作はここで記載され、追加されたフローチャートにおいて説明される。当業者であれば、これら動作の多くが、本発明の範囲から逸脱することなく、置き換えられることが明らかであろう。本発明を実行する多くの異なる方法が、ソフトウェアであるか、又はハードウェアとソフトウェアとの組み合わせによるコンピュータプログラムに存在しうること、また本発明は、コンピュータプログラム指示の何れの組にも制限されると解釈されるべきではないこともまた明らかになろう。更に、熟練したプログラマであれば、フローチャートと、ここに含まれる関連記載に基づいて、本開示された発明を実行するための１つ以上のコンピュータプログラムを困難なく書くことができるであろう。従って、本発明を活用及び使用する方法を適性に理解するための特別なプログラムコード指示の開示が必要であるとは考えられない。クレイムされたコンピュータプログラム及び／又はハードウェアデバイスの発明的な機能は、プログラムフローを示している残りの図面に関連した以下の記載によって更に詳細に説明される。
【００２０】
適合イコライザ１０８は、複数のフィルタ係数（図示せず）を持つ経時変化型のフィルタ構造を表している。適合イコライザ１０８は、ハードウェア、ソフトウェア、又はそれらの組み合わせとして実装することができることは、当業者にとっては明白であろう。また、フィルタ係数を選択するために、ＬＭＳアルゴリズムやＲＬＳアルゴリズムのような種々の適合アルゴリズムを使用することができることもまた明白であろう。ここで開示された本発明の種々の具体的な実施例は、適合イコライザ１０８のために選択された特定の構成又は適合アルゴリズムとは独立している。
【００２１】
図１（ｃ）は、本発明の具体的な実施例にしたがった受信器１０４を詳細に説明する図である。図１（ｃ）に示すように、デジタルデータｙ（ｎ）のシーケンスは、無線チャンネル１１０を介して送信され、付加的なノイズ及び場合によっては混信によって信頼性が低下する。以下のモデルは、適合イコライザ１０８の出力を示している。  
【数５】
2005516429.tif 000003
【００２２】
ここでαは、ｙ（ｋ）の評価値におけるバイアスであり、ｗ（ｋ）は無線チャンネル１１０によって導入された全ての付加的な外乱を示している。当業者にとっては明らかとなるであろうが、このモデルは、一定の条件の下で有効である。このモデルは、イコライザの適合アルゴリズムが定常状態、及びフィルタ係数に対する最適解の近傍にある場合に、特に良く適合する。実際に、我々は送信された位置の平均出力を知っているので、  
Ｅ｛||ｙ（ｋ）||２｝＝σｙ２  は知られている。
【００２３】
本発明の具体的な実施例によれば、送信器１０２と受信器１０４とは、データフレームを用いて、無線チャンネル１１０を経由して情報を交換する。図２は、パイロット部２０２と、制御部２０４とデータ部２０６である２つのノンパイロット部とを持つ具体的なフレーム２００を示している。パイロット部２０２は、受信器１０４に演繹的に知られたパイロットシンボルを含む。これらのパイロットシンボルは、無線チャンネル１１０によって導入されたノイズ及び混信がキャンセルされるように、適合イコライザ１０８によって使用され、フィルタ係数を適用する。制御部２０４は、受信器１０４内で種々の制御機能を引き起こすために使用される制御シンボルを含む。
【００２４】
データ部２０６は、特定のアプリケーションに依存し、チャンネルコード技術を用いてエンコードされることが可能なデータビットを含んでいる。デジタル通信システムはしばしばチャンネルコードを適用して、ビットエラー又はパケットエラーの確率を低減する。図１（ｃ）に示すように、データシンボルをコーディングしているチャンネルを備えたシステムでは、このデータビットを検出するために評価値（すなわち、データ期間の間におけるイコライザ出力）が復調器及びデコーダに渡される。更に、受信器１０４は、検出したビットに対して周期的冗長性チェック（ＣＲＣ）を実行することによって、フレームがエラー無く受信されたか否かを高い信頼度で確かめることができる。チャンネルのコード化及びＣＲＣの実行を行うための種々の技術は、関連技術では良く知られている。
【００２５】
図３は、無線チャンネル１１０のＳＩＮＲを評価するための本発明の具体的な実施例に関する方法を示すフローチャート３００である。動作３０２では、適合イコライザ１０８が、現在のフレームのパイロット部２０２を用いて適合される。上述したように、関連技術では、受信データが復調され、ノイズと混信とが抑制されるように適合イコライザ１０８のフィルタ係数を調整する様々なアルゴリズム（例えばＬＭＳアルゴリズムやＲＬＳルゴリズム）が知られている。これも明らかとなろうが、例えばＬＭＳアルゴリズムやＲＬＳアルゴリズムの場合、適合イコライザ１０８は、パイロットシンボルの演繹的に知られた値を用いて、イコライザ出力と既知の値との間のＭＳＥを最小にするように係数を適合する。
【００２６】
動作３０４では、適合イコライザ１０８は、例えば制御部２０４やデータ部２０６のようなフレームのノンパイロット部に適用される。このイコライザ出力は、イコライザが適用された部位に含まれるシンボルのソフト評価値を表している。フィルタ係数は、ノンパイロット部よりもむしろパイロット部２０２を用いて適合されるので、適合イコライザ１０８は、フレームのノンパイロット部にさほどオーバフィットしない傾向にある。
【００２７】
動作３０６では、動作３０４における適合イコライザの出力を用いて１つ以上のパラメータが決定される。単独あるいは組み合わせからなるこのパラメータは、無線チャンネル１１０のＳＩＮＲの評価値を決定するために使用される。第１の具体的な実施例によると、ノンパイロット部の間におけるイコライザ出力のＭＳＥは、ＳＩＮＲを計算するためのパラメータとして使用される。ＭＳＥを求める式の一例は以下のように示される。  
【数６】
2005516429.tif 000004
【００２８】
ここで、ｙ＾（ｋ）は、イコライザによって出力されたシンボルのソフト評価値を示し、ｙ（ｋ）は、送信器１０２によって送信された既知のシンボル値を示している。
【００２９】
第２の具体的実施例によると、イコライザ出力のバイアスは、ＳＩＮＲを計算するためのパラメータとして使用される。バイアスを求めるための式の一例は以下の通り表される。  
【数７】
2005516429.tif 000005
【００３０】
これらＭＳＥ及びバイアスを求める式の例の両方に関し、パラメータを計算するためには、送信されたシンボル値の知識（すなわち、無線チャンネル１１０によって信頼性が低下する前に送信されたシンボル値）が必要である。受信器において演繹的にシンボル値が知られていないフレームのノンパイロット部に対して送信されたシンボル値を決定するために、本発明による種々の具体的な実施例が以下に記載されている。
【００３１】
動作３０８では、動作３０６で計算された１つ以上のパラメータが、無線チャンネル１１０のＳＩＮＲを評価するために使用されている。ＳＩＮＲを評価するために用いられる式は、この評価が基づいているパラメータに依存する。さらに、同一のパラメータを用いた異なる式を用いることも可能である。例えば、以下に示す式は、ＭＳＥパラメータに基づいて、無線チャンネル１１０のＳＩＮＲを評価するために使用することができる。  
【数８】
2005516429.tif 000006
【００３２】
ここで、ＭＳＥは、動作３０６で計算されたＭＳＥパラメータを示し、σｙ２は、送信位置の平均出力を示している。ＳＩＮＲを評価するために異なる式が使用されうることもまた明らかとなろう。本発明に係りここに記載されている原理は、ＳＩＮＲのいかなる特別な式にも依存しない。むしろ、フレームのノンパイロット部の間に計算されたパラメータに基づくチャンネルＳＩＮＲを評価するための多くの式が可能であり、これらは本発明の範囲内で実行される。
【００３３】
更に、ＳＩＮＲ評価値の精度を改善するために、２つ以上のパラメータが組み合せて使用される。例えば、ＭＳＥ及びバイアスの両方を含む式が、本発明の範囲内で実行され、改善されたＳＩＮＲ評価値を与える。
【００３４】
したがって、図３における動作は、チャンネルＳＩＮＲを評価するための方法を記載している。ここで、ＳＩＮＲを計算するために使用されるパラメータは、適合イコライザのオーバフィットによって誤って評価されることはない。これは、イコライザの適用に使用されないフレームのノンパイロット部の間にパラメータを計算することによって達成される。この改善されたチャンネルＳＩＮＲ評価値は、受信器１０４において、たとえば、無線チャンネル１１０を介した送信のための正確なデータ速度の設定など様々な目的に使用することができる。以下に示すセクションでは、図３の一般的な動作を、例えば制御部やデータ部のような特定のノンパイロット部のフレームに適用する本発明に係る種々の技術を記述している。
【００３５】
（制御シンボルを用いたパラメータの計算）  
図４は、本発明の具体的な実施例に係るものであって、適合イコライザの出力を用いて１つ以上のパラメータを決定する動作（動作３０６）をより詳細に示すものである。ここでは、適合イコライザ１０８が、動作３０４で受信されたフレームの制御部２０４に適用されている。
【００３６】
動作４０２では、ハード判定が制御部２０４の間に適合イコライザ１０８の出力に適用され、制御シンボルのハード評価値が決定される。制御部２０４の間の適合イコライザ１０８の出力は、制御シンボルのソフト評価値を示す。ハード判定のプロセスは、これらソフト評価値に適用され、ハード評価値が決定される。仮に、制御シンボルが正しく検出された場合、ハード評価値は、送信器１０２におけるソフト値に一致するであろう。ＣＤＭＡシステムは、仮に制御データをコード化しなくても、受信器１０４において制御シンボルが極めて小さいエラー確率で決定されるようにしばしば設計されている。よって、これらのシステムでは、閾値や量子化を適用するような簡単なハード判定プロセスを、制御シンボルを正確に検出するために使用されることが可能である。
【００３７】
動作４０２において決定されたシンボルのハード評価値と同様に、動作４０４では、適合イコライザ１０８が制御シンボル出力のソフト評価値を用いることによって、１つ以上のパラメータが計算される。例えば、ｙ＾（ｋ）がイコライザによって出力された制御シンボルをソフト評価値を示している場合、ＭＳＥ又はバイアスパラメータに対する上述した式を計算することが可能である。制御シンボルのハード評価値は、上記式において送信されたシンボルｙ（ｋ）の代わりに使用される（ハード評価値は、動作４０２において正しいハード判定がなされた場合にはいつでも送信されたシンボルに対応する）。図３に示すように、この１つ以上のパラメータは、その後、動作３０８で使用され、無線チャンネル１０８のＳＩＮＲが評価される。本発明の具体的な実施例によると、チャンネルＳＩＮＲは、さほど過大評価されない傾向にある。というのも、このイコライザは、制御部２０４に対してさほどオーバフィットする傾向にはないからである。
【００３８】
（再エンコードされたデータビットを用いたパラメータの計算）  
図５は、本発明の具体的に実施例に係り、適合イコライザの出力を用いて１つ以上のパラメータを決定する動作（動作３０６）をより詳細に示すフローチャートである。ここで、適合イコライザ１０８は、動作３０４で受信されたフレームのデータ部２０６に適用される図１（ｃ）に示すように、データ部の間における適合イコライザ１０８の出力（すなわち、エンコードされたデータシンボルのソフト評価値）は、復調器／デコーダへとダウンストリームされ、送信されたデータビットの評価値が回復される。上述したように、ＣＲＣは、データビットが正しく復調されかつデコードされる高信頼度を保証するための使用が可能である。
【００３９】
動作５０２では、チャンネルデコーダから出力されたデータビットは、チャンネルコードスキームにしたがって再変調、及び再エンコードがなされる。ＣＲＣは、動作５０２に先だってビットが正しく回復されたことを保証するチェックとして使用されることが可能である。従って、この再エンコードされたデータビットは、データ部２０６の間に適合イコライザ１０８の出力におけるソフト評価値に一致している送信シンボル値に一致するはずである。
【００４０】
動作５０４では、動作５０２からの再エンコードデータビットと同様に、１つ以上のパラメータが、適合イコライザ１０８によって出力されたデータシンボルのソフト評価値を用いて計算される。例えば、ＭＳＥ又はバイアスパラメータ用の上記式が計算されることが可能である。ここでｙ＾（ｋ）は、イコライザによって出力されたデータシンボルのソフト評価値を示し、ｙ（ｋ）は再エンコードされたデータビットを示す。図３では、１つ以上のパラメータが動作３０８で使用され、無線チャンネル１０８のＳＩＮＲが評価される。本発明の具体的な実施例では、チャンネルＳＩＮＲは、さほど過大評価される傾向にはない。なぜなら、イコライザは、データ部２０６に対してさほどオーバフィットされる傾向にはないからである。
【００４１】
（補償ファクタの平滑化によるＳＩＮＲ評価値の改善）  
図６は、受信器１０４において図３、図４、又は図５における動作と関連して実行し、ＳＩＮＲ評価値の精度を向上することが可能な動作を示すフローチャート６００である。動作６０２では、動作３０２の適合過程の間のイコライザ出力を用いて１つ以上のパラメータが決定される。動作６０４では、これら１つ以上のパイロットパラメータが使用され、チャンネルＳＩＮＲが評価される。上述したように、このパイロットＳＩＮＲ評価値は、パイロット部２０２に対するオーバフィットによって実際のチャンネルＳＩＮＲをしばしば過大評価する。
【００４２】
動作６０６では、ＳＩＮＲ補償ファクタＦが計算される。これは、パイロットＳＩＮＲ評価値が、オーバフィットによって無線チャンネル１１０のＳＩＮＲを強調する程度を反映している。このファクタＦは、例えば、ノンパイロットＳＩＮＲ評価値（フレームにおけるノンパイロット部の間に計算されたパラメータに基づいて動作３０８で決定される）によってパイロットＳＩＮＲが除されることによって計算される。
【００４３】
動作６０８では、ＳＩＮＲ補償ファクタＦが、複数のフレームに亘って平滑化され（すなわち、時間平均され）、更に正確なＦの評価値が得られる。本発明の第１の具体的な公式化では、ＳＩＮＲ補償ファクタが以下に示す式にしたがって計算される。  
【数９】
2005516429.tif 000007
【００４４】
ここで、λは１未満の正の実数、SINR_Pilotは動作６０４からのパイロットＳＩＮＲ評価値、SINR_NonPilotは動作３０８からのノンパイロットＳＩＮＲ評価値である。この具体的な式において、λは、ファクタＦが平滑化された部分に亘るウィンドウサイズを効果的に制御する。
【００４５】
本発明における第２の具体的な公式化では、ＳＩＮＲ補償ファクタＦが以下に示す式にしたがう最後のＭ個の観察に亘る平均値を計算することによって平滑化される。  
【数１０】
2005516429.tif 000008
【００４６】
動作６１０では、パイロットＳＩＮＲ評価値は、動作６０８で計算されたＳＩＮＲ補償ファクタにしたがって調整され、次式に示すような補償されたＳＩＮＲ評価値を生成する。
【数１１】
2005516429.tif 000009
【００４７】
補償されたＳＩＮＲ評価値は、単一のフレームで計算されたパラメータに基づく評価値よりもむしろ、平均すると、より正確なチャンネルＳＩＮＲ評価値を反映するであろう。
【００４８】
（前に適用されたフィルタ係数を用いたパラメータの計算）  
図７は、本発明の具体的な実施例に係るものであり、受信器１０４の動作を示すフローチャート７００である。ここで、適合イコライザ１０８は、前のフレームの間に適合されたフィルタ係数を用いてパイロット部２０２に適用される。
【００４９】
動作７０２では、適合イコライザ１０８が現在のフレームのパイロット部２０２に適用される。ここで、このイコライザは、前のフレームのパイロット部２０２の間に適合されたフィルタ係数を用いている。たとえばこれは、現在のフレームを受信すると、イコライザを現在のフレームに適合する（動作３０２）のに先だって適合イコライザ１０８をパイロット部２０２に適用し、前のフレームからのイコライザに既にロードされているフィルタ係数を用いることによって達成することができる。
【００５０】
動作７０４では、動作３０６で示したように、動作７０２における適合イコライザ１０８の出力を用いて１つ以上のパラメータが決定される。同様に、動作７０６では、動作３０８で示したように、無線チャンネル１１０のＳＩＮＲが動作７０４で計算された１つ以上のパラメータを用いて評価される。この具体的な例によれば、適合イコライザ１０８は、現在のパイロット部に対してさほどオーバフィットするようなことは傾向にはない。なぜなら、フィルタ係数は、前のパイロット部の間に適合されるからである。結果として、ＳＩＮＲ評価値は、それほど強調されそうではない。
【００５１】
図１（ｂ）に示すように、受信器１０４は、上述された具体的な実施例の何れかにしたがって構成し、無線チャンネル１１０のＳＩＮＲの更に正確な評価値を得ることができる。受信器１０４は、この改善されたチャンネル評価値を用いて、無線チャンネル１１０を介した送信用の適切なデータ速度をより正確に選択することができる。モバイル通信環境１００Ｂの例では、ユーザ端末１２２は、改善された評価値に基づいてデータ速度を決定する基地局１２０にＤＲＣメッセージを送信する。ここに記載した技術を適用することによって、ユーザ端末１２２は、現在のチャンネル条件で与えられた受信フレームに対するエラー割合を更に正確に予測することが可能となる。
【００５２】
当業者であれば、これら情報および信号が、種々異なった技術や技法を用いて表されることを理解するであろう。例えば、上述した記載で引用されているデータ、手順、コマンド、情報、信号、ビット、シンボル、およびチップは、電圧、電流、電磁波、磁場または磁性粒子、光学場または光学微粒子、あるいはこれら何れかの結合によって表現されうる。
【００５３】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００５４】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００５５】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに不可欠となりうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００５６】
開示された実施例における上述の記載は、いかなる当業者であっても、本発明の活用または利用を可能とするようになされている。これらの実施例への様々な変形例もまた、当業者に対しては明らかであって、ここで定義された一般的な原理は、本発明の主旨または範囲を逸脱しない他の実施例にも適用されうる。このように、本発明は、上記で示された実施例に制限されるものではなく、ここで記載された原理と新規の特徴に一致した広い範囲に相当するものを意図している。
【図面の簡単な説明】
【００５７】
【図１】本発明が動作する通信環境、無線チャンネルを経由してユーザ端末と通信する基地局を含むモバイル通信環境、無線受信器の構成の一例をそれぞれ示す図。
【図２】パイロット部と２つのノンパイロット部（制御部とデータ部）とを有するフレームの一例を示す図。
【図３】無線チャンネルのＳＩＮＲを評価するための本発明の実施例にしたがった方法を示すフローチャート。
【図４】適合イコライザが受信フレームの制御部に適用されている本発明の実施例にしたがって、適合イコライザの出力を用いて１つ以上のパラメータを決定する流れを詳細に示すフローチャート。
【図５】適合イコライザが受信フレームのデータ部に適用されている本発明の実施例にしたがって、適合イコライザの出力を用いて１つ以上のパラメータを決定する流れを詳細に示すフローチャート。
【図６】チャンネルＳＩＮＲ評価値の精度を向上するために受信器によって実行することができる動作を示すフローチャート。
【図７】前のフレームの間に加えられたフィルタ係数を用いたパイロット部に適合イコライザが加えられた本発明の実施例にしたがった受信器の動作を詳細に示すフローチャート。
【符号の説明】
【００５８】
１００Ａ…通信環境、１００Ｂ…モバイル通信環境、１０２…送信器、１０４…受信器、１０６…トランシーバ、１０８…適合イコライザ、１１０…無線チャンネル、１２０…基地局、１２２…ユーザ端末、２００…受信フレーム、２０２…パイロット部、２０４…制御部、２０６…データ部
【図１】
2005516429.tif 000014
【図２】
2005516429.tif 000015
【図３】
2005516429.tif 000016
【図４】
2005516429.tif 000017
【図５】
2005516429.tif 000018
【図６】
2005516429.tif 000019
【図７】
2005516429.tif 000020
【国際調査報告】
2005516429.tif 000021
2005516429.tif 000022
2005516429.tif 000023